(57)【要約】トイレの吐出部材を接続する第１管状部材（２）と、壁の放流管に接続する第２管状部材（４）とを含むトイレ用のサイフォン。第１管状部材及び第２管状部材は、互いに対して水密に回転可能に接続され、低容積の輸送位置とそれらの管状部材を引き伸ばした取付け位置の間で回転可能になる。
2005517840.tif 000002
【特許請求の範囲】
【請求項１】
トイレの吐出部材に接続する第１管状部材と壁の放流管に接続する第２管状部材とを含むトイレ用のサイフォンであって、前記第１管状部材及び前記第２管状部材が、互いに対して水密に回転可能に接続され、低容積輸送位置とそれらの管状部材を引き伸ばした取付け位置との間で回転可能にしたことを特徴とする、トイレ用のサイフォン。
【請求項２】
前記第２管状部材は、前記第１管状部材の端部がその中に挿入される少なくとも１つの円形シートをその端部の一方において有し、あるいは逆もまた同様であることを特徴とする、請求項１記載のサイフォン。
【請求項３】
前記円形シートは、前記第１管状部材のフランジがその中に収容される前記第２管状部材の第１拡径部分を含み、あるいは逆もまた同様であることを特徴とする、先行する請求項の１つ以上に記載のサイフォン。
【請求項４】
前記フランジは、前記第１拡径部分と摺動的に接触する少なくとも１つの部分を有することを特徴とする、先行する請求項の１つ以上に記載のサイフォン。
【請求項５】
前記フランジは、前記第１又は第２の管状部材の少なくとも１つの湾曲した部分を含むことを特徴とする、先行する請求項の１つ以上に記載のサイフォン。
【請求項６】
前記第１拡径部分は、実質的にＣ字形であることを特徴とする、先行する請求項の１つ以上に記載のサイフォン。
【請求項７】
前記第１拡径部分と前記第１管状部材の間には、シーリング材が収容されることを特徴とする、先行する請求項の１つ以上に記載のサイフォン。
【請求項８】
前記円形シートは、前記第１拡径部分に隣接して、前記第１又は第２の管状部材の端部を収容する第２拡径部分を含むことを特徴とする、先行する請求項の１つ以上に記載のサイフォン。
【請求項９】
前記第１管状部材は、Ｕ字形状の部分を含むことを特徴とする、先行する請求項の１つ以上に記載のサイフォン。
【請求項１０】
説明され、添付した図表において図示され、請求された、すべてのものであるトイレ用のサイフォン。
【発明の詳細な説明】
【技術分野】
【０００１】
本発明は、トイレ用のサイフォンに関する。
【背景技術】
【０００２】
周知のように、すべてのトイレには、臭いなどの逆流を防止するサイフォンが装備されている。
【０００３】
特に、従来のサイフォンは、トイレの吐出部に接続される管状部材と、壁の放流管に接続されるもう１本の管状部材とによって形成されている。
【０００４】
上述の２本の管状部材は、互いに切り離されており、サイフォンが取付けられるときに接続される。
【発明の開示】
【発明が解決しようとする課題】
【０００５】
この理由のため、従来のサイフォンは、管状部材がサイフォンの取付けの際に接合されるように、主として別体の部材として製造されそして市販されるために、数多くの欠点を有している。
【０００６】
これは、一方では輸送及び市販のために大きさが細分されたものであるなら、他方では多くの部品点数が必要である（管状部材に加えて、管状部材の間の接続部材も見越す）故に製造及び取付けコストが高くなる。
【０００７】
また、サイフォンが組立てられるときに幾つかの部品が損傷しあるいは失われるかもしれず、この場合にはサイフォンは洗浄水の搬送に関する機能をその最大能力まで発揮することができず、またその機能を全く果たせないということも起こり得る。
【０００８】
更になお、取付けの際に、それらの部材は、実質的に時間を浪費し、また通常は専門的な工具を使用して、洗浄水の漏れを回避して完璧な連結を保証するように組立てられなければならない。
【０００９】
これは、実際には、取付けが専門的な熟練者によって実行されることを要求する。
【００１０】
それ故、本発明によって提案される課題は、先行技術に関する前述の技術的欠点が取り除かれるようにしたトイレ用のサイフォンを実現することである。
【００１１】
この課題において、本発明の目的は、製造及び取付けのコストを抑えるようにしたサイフォンを実現することである。
【００１２】
本発明のもう１つの目的は、組立ての前又はその間に幾つかの部品が失われたり、その機能を最大に発揮することを妨げたり、あるいはその取換えを必要とするようなおそれのないサイフォンを実現することである。
【００１３】
これは、本件発明に係るサイフォンが、取付けのときに組立てられなければならない数多くの別体の部品によって形成されているものではなく、製造段階においてトイレに接続できるように既に組立てられまた用意されているが故に、有利に実現されることである。
【００１４】
最後の本発明の目的は、専門的な工具の助けなしに短時間で取付けることが可能なようにしたサイフォンを実現することである。加えて、好適には、本件発明に係るサイフォンは専門的な熟練者ではない人物によって取付けられることさえも可能である。
【課題を解決するための手段】
【００１５】
本件発明に係る課題だけでなく、前述の目的及びその他の目的もまた、トイレの吐出部材に接続される第１管状部材と壁の放流管に接続する第２管状部材とを含むトイレ用のサイフォンであって、前記第１管状部材及び前記第２管状部材が、互いに水密に回転可能に接続され、低容積の輸送位置とそれらの管状部材を引き伸ばした取付け位置との間で回転可能になされていることを特徴とする、前記トイレ用のサイフォンを実現することによって達成される。
【００１６】
その上、本件発明の他の特徴は、従属請求項において限定されている。
【発明を実施するための最良の形態】
【００１７】
更なる特徴及び利点は、本発明に係るトイレ用のサイフォンに関する詳細な説明からより明確になるであろう。なお、添付図面は単に例示のためのものであり、
図１は、本件発明に係るＰ字形ベンド管の長手方向断面図を示し、
図２は、図１のサイフォンの第１と第２の管状部材の間における接続の細部に関する断面図を示し、
図３は、本件発明に係るサイフォンの長手方向断面図を示し、
図４は、図３のサイフォンの第１と第２の管状部材の間における接続の細部に関する断面図を示している。
【実施例１】
【００１８】
引用図面を参照すると、トイレ用のサイフォンは、全体を参照番号１で表示して示されている。
【００１９】
サイフォン１は、前記トイレの吐出部３に接続するための第１管状部材２と、壁の放流管に接続するための第２管状部材４とを含む。
【００２０】
好適には、第１管状部材２及び第２管状部材４は、互いに水密に回転可能に接続され、低容積輸送位置（図１では破線で示される）とそれらの管状部材２、４を引き伸ばした取付け位置（図１では連続線で示される）との間で回転可能になっている。
【００２１】
第２管状部材４は、前記第１管状部材の端部がその中に挿入される少なくとも１つの円形シート５をその端部の一方に有し、あるいは逆もまた同様であり、すなわち、その円形シートが第１管状部材２の端部に配置されることも可能である。
【００２２】
円形シート５は、第１管状部材２のフランジ７がその中に収容される第２管状部材４の第１拡径部分６を含み、あるいは逆もまた同様である。
【００２３】
実際には、拡径部分６は縁取りされて管状部材２の滑りを防止するようになっている。変形例では、拡径部分６が第１管状部材２に配置され、フランジ７が第２管状部材４に配置されるようにすることも可能である。
【００２４】
好ましくは、フランジ７は第１拡径部分６と摺動的に接触して摩擦作用を加える少なくとも１つの部分を有する。
【００２５】
例えば、図１及び図２において示されたように、フランジ７は、第１又は第２の管状部材２、４の少なくとも１つの湾曲した部分を含む。他方では、図３及び図４に示された異なる態様では、フランジは半径方向の切欠によって実現される。
【００２６】
好ましくは、第１拡径部分６は、実質的にＣ字形である。
【００２７】
加えて、前記第１拡径部分６と第１管状部材２（詳細にはそのフランジ７）の間には、例えばＯリングによって構成されるシーリング材８が収容されている。
【００２８】
円形シート５は、前記第１拡径部分６に隣接して、第１管状部材２の（シート５が第１管状部材２に配置される場合には第２管状部材４の）端部９を収容する第２拡径部分８を含んでいる。
【００２９】
好ましくは、第１管状部材２は、Ｕ字形状の部分を含む。
【００３０】
本発明に係るトイレ用のサイフォンの作用は、既に述べられ又図示されたことから明らかであり、特に以下に示されるようにして実質的に行われる。
【００３１】
本件発明に係るサイフォンの梱包、輸送及び市販は、低容積に構成した（図１の破線）サイフォンで行なわれ、それによってそのような作業をより容易にしかつ安価に行えるようになる。その後、取付けを実行するために、第１管状部材２は、第２管状部材４に対して回転され、図１の連続線で示された構成となる。
【００３２】
加えて、簡単かつ迅速な方法で、吐出管に対してトイレを特定の位置に設定しなければならないというような制限なしに、トイレを放出管に接続するための任意の角度に従って第１及び第２の管状部材２、４を位置決めすることもまた全く簡単に実行可能である。
【００３３】
実際に、本発明に係るトイレ用のサイフォンは如何にしてサイフォンの輸送及び取付けが簡略化しまたスピードアップし、それと同時に、製造、梱包、輸送及び取付けのコストが削減されるようになされたかについて留意すべきである。
【００３４】
実際に、使用される材料だけでなく、その寸法もまた、当該分野の必須要件及び情勢にしたがって、どのようなものであってもよい。
【図面の簡単な説明】
【００３５】
【図１】本件発明に係るＰ字形ベンド管の長手方向断面図である。
【図２】図１のサイフォンの第１と第２の管状部材の間における接続の細部に関する断面図である。
【図３】本件発明に係るサイフォンの長手方向断面図である。
【図４】図３のサイフォンの第１と第２の管状部材の間における接続の細部に関する断面図である。
【図１】
2005517840.tif 000003
【図２】
2005517840.tif 000004
【図３】
2005517840.tif 000005
【図４】
2005517840.tif 000006
【手続補正書】
【提出日】平成15年11月18日(2003.11.18)
【手続補正１】
【補正対象書類名】特許請求の範囲
【補正対象項目名】全文
【補正方法】変更
【補正の内容】
【特許請求の範囲】
【請求項１】
トイレの吐出部に接続するための第１管状部材と壁の放流管に接続するための第２管状部材とを含むトイレ用のサイフォンであって、
前記第１管状部材および前記第２管状部材は、互いに水密に回転可能に接続され、低容積輸送位置とそれらの管状部材を引き伸ばした取付け位置との間で回転可能になり、
前記第２管状部材は、前記第１管状部材の端部がその中に挿入される少なくとも１つの円形シートをその端部の一方において有し、あるいは逆もまた同様であり、
前記円形シートは、前記第１管状部材のフランジがその中に収容される前記第２管状部材の第１拡径部分を含み、前記第１拡径部分は、縁取りされて前記第１管状部材の滑りを防止し、あるいは逆もまた同様であり、
前記フランジは、前記第１拡径部分との接触線に沿って摺動的に接触することを特徴とする、トイレ用のサイフォン。
【請求項２】
前記フランジは、前記第１または第２の管状部材の少なくとも１つのベント部分を含むことを特徴とする、先行する請求項に記載のサイフォン。
【請求項３】
前記第１拡径部分は、実質的にＣ字形であることを特徴とする、先行する請求項の１つ以上に記載のサイフォン。
【請求項４】
前記第１拡径部分と前記第１管状部材の間には、シーリング材が収容されることを特徴とする、先行する請求項の１つ以上に記載のサイフォン。
【請求項５】
前記円形シートは、前記第１拡径部分に隣接して、前記第１または第２の管状部材の端部を収容する第２拡径部分を含むことを特徴とする、先行する請求項の１つ以上に記載のサイフォン。
【請求項６】
前記第１管状部材は、Ｕ字形状の部分を含むことを特徴とする、先行する請求項の１つ以上に記載のサイフォン。
【請求項７】
説明され、添付した図表において図示され、請求された、すべてのものであるトイレ用のサイフォン。
【国際調査報告】
2005517840.tif 000007
2005517840.tif 000008
2005517840.tif 000009